(57)【要約】【課題】  ボックス同士を面状ファスナを介して接合させる接合ボックスシステムにおいて、収納したボックスの取り出しを容易にする。【解決手段】  ボックス１は、中空樹脂板１００で形成される箱体１０と、箱体１０の全面を被覆する面状ファスナ２０とを備え、ボックス１の各面は、それぞれオス側面状ファスナ２１とメス側面状ファスナ２２によって被覆され、ボックス１同士を所定の向きで重ね合わせたとき、互いのオス側面状ファスナ２１とメス側面状ファスナ２２が対向することで、互いに接合可能となり、ボックス１同士を前記所定の向きとは逆の向きで重ね合わせたとき、互いのオス側面状ファスナ２１同士およびメス側面状ファスナ２２同士が対向することで、互いに接合不能となるように、ボックス１の各面においてオス側面状ファスナ２１とメス側面状ファスナ２２が配置される構成とした。【選択図】図１
2014031860.tif 000002
【特許請求の範囲】
【請求項１】
互いに接合可能に形成される複数のボックスを備え、これらのボックスを接合して任意または所定の形態で使用される接合ボックスシステムであって、
前記ボックスは、
中空樹脂板で形成される箱体と、
前記箱体の全面を被覆する面状ファスナとを備え、
前記面状ファスナは、オス側面状ファスナとメス側面状ファスナとを分離した状態で備え、前記オス側面状ファスナと前記メス側面状ファスナは互いに接合し、前記オス側面状ファスナ同士または前記メス側面状ファスナ同士では接合しないものとし、
前記ボックスの各面は、それぞれ前記オス側面状ファスナと前記メス側面状ファスナによって被覆され、
前記ボックス同士を所定の向きで重ね合わせたとき、互いの前記オス側面状ファスナと前記メス側面状ファスナが対向することで、互いに接合可能となり、
前記ボックス同士を前記所定の向きとは逆の向きで重ね合わせたとき、互いの前記オス側面状ファスナ同士および前記メス側面状ファスナ同士が対向することで、互いに接合不能となるように、前記ボックスの各面において前記オス側面状ファスナと前記メス側面状ファスナが配置されることを特徴とする接合ボックスシステム。
【請求項２】
前記オス側面状ファスナと前記メス側面状ファスナが、色分けされることを特徴とする請求項１に記載の接合ボックスシステム。
【請求項３】
前記ボックスが、少なくとも一つの傾斜面を備えることを特徴とする請求項１または２に記載の接合ボックスシステム。
【発明の詳細な説明】
【技術分野】
【０００１】
本発明は、互いに接合可能に形成される複数のボックスを備え、これらのボックスを接合して任意または所定の形態で使用される接合ボックスシステムに関する。
【背景技術】
【０００２】
中空部を有する気泡ボート、プラスチック段ボールなどの中空樹脂板が知られている。これらの中空樹脂板は、軽量でありながらも高い剛性を備えることから、保管または輸送用の包装箱のほか、建築材料や自動車の内装材など、種々の用途に供されている（例えば、特許文献１〜３参照）。
【先行技術文献】
【特許文献】
【０００３】
【特許文献１】特開２０１０−２６５０１１号公報
【特許文献２】特開２０１１−３７０６０号公報
【特許文献３】特開２０１２−４５７１７号公報
【特許文献４】実開平６−６６７９７号公報
【特許文献５】実用新案登録第３０８８７７１号公報
【発明の概要】
【発明が解決しようとする課題】
【０００４】
ところで、中空樹脂板の新たな用途として、接合ボックスシステムが提案される。接合ボックスシステムは、互いに接合可能に形成される複数のボックスを備え、これらのボックスを接合して任意または所定の形態で使用されるものと定義することができる。このような接合ボックスシステムに中空樹脂板を適用すると、軽量でありながらも高い剛性を備えるボックスが得られるので、接合された複数のボックスを、例えば、足置き、踏み台、簡単な仕切り（パーテーション）などとして多用途に使用することが可能となる。
【０００５】
しかしながら、このような接合ボックスシステムでは、使用時におけるボックス同士の接合強度を確保しつつ、分解状態での収納性、さらには収納したボックスの取り出し易さなども考慮する必要があるので、ボックス同士を接合させる接合手段の選定や配置が難しいという問題があった。
【０００６】
なお、表面が面状ファスナで被覆された複数のブロックを備え、これらのブロック同士を面状ファスナを介して接合することにより、任意または所定の形態とすることができる玩具が知られている（例えば、特許文献４、５参照）。これらの玩具に適用される面状ファスナは、オス（フック）とメス（ループ）が混在し、重ね合わせた面同士を全体的に接合させるので、接合ボックスシステムの接合手段に適用した場合、使用時の接合強度や分解状態での収納性を確保することは可能と考えられる。
【０００７】
しかしながら、分解したボックスを積み重ねた状態で収納した場合、ボックス同士が面状ファスナを介して接合してしまうので、収納したボックスを取り出す際には、接合した面状ファスナ同士をいちいち引き剥がす必要があり、収納したボックスの取り出し易さが損なわれるという問題がある。
【０００８】
本発明は、上記の事情にかんがみなされたものであり、中空樹脂板で形成されるボックス同士を面状ファスナを介して容易かつ確実に接合させるとともに、非使用時等に収納・保管されているボックスの取り出しを容易にすることができ、個々のボックスの美観も向上させることができる接合ボックスシステムの提供を目的とする。
【課題を解決するための手段】
【０００９】
上記目的を達成するため本発明に係る接合ボックスシステムは、互いに接合可能に形成される複数のボックスを備え、これらのボックスを接合して任意または所定の形態で使用される接合ボックスシステムであって、前記ボックスは、中空樹脂板で形成される箱体と、前記箱体の全面を被覆する面状ファスナとを備え、前記面状ファスナは、オス側面状ファスナとメス側面状ファスナとを分離した状態で備え、前記オス側面状ファスナと前記メス側面状ファスナは互いに接合し、前記オス側面状ファスナ同士または前記メス側面状ファスナ同士では接合しないものとし、前記ボックスの各面は、それぞれ前記オス側面状ファスナと前記メス側面状ファスナによって被覆され、前記ボックス同士を所定の向きで重ね合わせたとき、互いの前記オス側面状ファスナと前記メス側面状ファスナが対向することで、互いに接合可能となり、前記ボックス同士を前記所定の向きとは逆の向きで重ね合わせたとき、互いの前記オス側面状ファスナ同士および前記メス側面状ファスナ同士が対向することで、互いに接合不能となるように、前記ボックスの各面において前記オス側面状ファスナと前記メス側面状ファスナが配置される構成としてある。
【００１０】
このような構成からなる本発明に係る接合ボックスシステムによれば、中空樹脂板で形成されるボックス同士を面状ファスナを介して接合させるので、軽量でありながら高い剛性や接合強度を確保し、足置き、踏み台、簡単な仕切り（パーテーション）などとして多用途に使用することができる。
しかも、収納時においては、互いに接合しない状態で複数のボックスを積み重ねることができるので、収納したボックスの取り出しを容易にすることができる。
【００１１】
また、本発明に係る接合ボックスシステムは、前記オス側面状ファスナと前記メス側面状ファスナが、色分けされる構成としてある。
このような構成からなる本発明に係る接合ボックスシステムによれば、面状ファスナで被覆されたボックスを意匠的（美観的）に優れたものとできるとともに、ボックス同士が接合する向きと、接合しない向きの判断が容易になる。
【００１２】
また、本発明に係る接合ボックスシステムは、前記ボックスが、少なくとも一つの傾斜面を備える構成としてある。
このような構成からなる本発明に係る接合ボックスシステムによれば、傾斜面の接合により、ボックス同士を相対的に傾斜した状態で接合させることができ、ボックス同士を直線的に接合させる場合に比べ、使用形態のバリエーションを増やすことができる。
例えば、多くのブロックを傾斜面を介して連接すれば、環状の囲いを形成することができる。
【発明の効果】
【００１３】
本発明によれば、中空樹脂板で形成されるボックス同士を面状ファスナを介して容易かつ確実に接合させることができ、かつ、非使用時等に収納・保管されているボックスの取り出しを容易にすることができ、また、面状ファスナに被覆された個々のボックスの美観も向上させることができる。
【図面の簡単な説明】
【００１４】
【図１】本発明の実施形態に係る接合ボックスシステムを構成するボックスを示す、（ａ）は外観斜視図であり、（ｂ）は（ａ）に示すボックスの要部断面斜視図である。
【図２】本発明の実施形態に係る接合ボックスシステムを構成するボックスを示す、ボックスを構成する中空樹脂板及びボックスを被覆する面状ファスナを展開させた状態の分解斜視図である。
【図３】本発明の実施形態に係る接合ボックスシステムのボックスを示す図であり、（ａ）はボックスの平面図、（ｂ）はボックスの正面図、（ｃ）はボックスの底面図、（ｄ）はボックスの左側面図、（ｅ）はボックスの右側面図、（ｆ）はボックスの背面図である。
【図４】本発明の実施形態に係る接合ボックスシステムのボックスを形成する中空樹脂板の図であり、（ａ）は二層気泡ボードの構造を示す斜視図、（ｂ）は三層気泡ボードの構造を示す斜視図、（ｃ）はプラスチック段ボールの構造を示す斜視図である。
【図５】本発明の実施形態に係る接合ボックスシステムのボックス同士を接合する状態で重ね合わせる場合を示す斜視図である。
【図６】本発明の実施形態に係る接合ボックスシステムのボックス同士を接合しない状態で重ね合わせる場合を示す斜視図である。
【図７】本発明の実施形態に係る接合ボックスシステムで環状の囲いを形成した場合を示す斜視図である。
【図８】本発明の実施形態に係る接合ボックスシステムで足置きを形成した場合を示す斜視図である。
【図９】本発明の実施形態に係る接合ボックスシステムの他例（面状ファスナ配置の他例）を示す斜視図である。
【図１０】本発明の実施形態に係る接合ボックスシステムの他例（ボックス形状の他例）を示す図であり、（ａ）は直方体のボックスを示す斜視図、（ｂ）は立方体のボックスを示す斜視図である。
【発明を実施するための形態】
【００１５】
以下、本発明に係る接合ボックスシステムの実施形態について、図面を参照して説明する。
図１は、本発明の一実施形態に係る接合ボックスシステムを構成するボックスを示す、（ａ）は外観斜視図であり、（ｂ）は（ａ）に示すボックスの要部断面斜視図である。
図２は、同じく本実施形態に係る接合ボックスシステムを構成するボックスを示す、ボックスを構成する中空樹脂板及びボックスを被覆する面状ファスナを展開させて状態の分解斜視図である。
また、図３は、本実施形態に係る接合ボックスシステムのボックスを示す六面図である。
【００１６】
これらの図に示すように、本発明の実施形態に係る接合ボックスシステムは、互いに接合可能に形成される複数のボックス１を備え、これらのボックス１を接合して任意又は所定の形態で使用されるものである。
各ボックス１は、図２，３に示すように、中空樹脂板１００で形成される箱体１０と、箱体１０の全面を被覆する面状ファスナ２０とを備えて構成されている。
図４は、本実施形態に係る接合ボックスシステムのボックスを形成する中空樹脂板の図であり、（ａ）は二層気泡ボードの構造を示す斜視図、（ｂ）は三層気泡ボードの構造を示す斜視図、（ｃ）はプラスチック段ボールの構造を示す斜視図である。
図４に示すように、中空樹脂板１００としては、気泡ボード１１０やプラスチック段ボール１２０を用いることができる。
【００１７】
気泡ボード１１０は、図４の（ａ）および（ｂ）に示すように、中空状に膨出する多数のキャップ１１１ａが形成されたキャップシート１１１を有しており、キャップシート１１１のキャップ開口側にバックシート１１２を積層してなる二層気泡ボード１１０Ａや、キャップシート１１１のキャップ上面側にもライナーシート１１３を積層してなる三層気泡ボード１１０Ｂが広く用いられている。また、プラスチック段ボール１２０は、図４の（ｃ）に示すように、上下の板材１２１の間に壁材１２２を多数列設した断面矩形状の中空部を有する構成となっている。
中空樹脂板１００を形成する素材としては、例えば、ポリプロピレン、ポリエチレン等のポリオレフィン系樹脂、ポリスチレン等のポリスチレン系樹脂、ポリエチレンテレフタレート等のポリエステル系樹脂、ナイロン等のポリアミド系樹脂などを例示することができる。
【００１８】
本実施形態では、上記のような中空樹脂板１００を箱状に接合・組み立てることにより箱体１０を形成している。
ここで、中空樹脂板１００を箱状に形成するためには、例えば、図２に示すように、一枚の中空樹脂板１００を組立完成状態に箱体１０が形成されるように裁断・折り曲げ加工しておき、中空樹脂板１００の各面を折り曲げて、各面が当接する端縁を融着，接着剤等により接合することで箱体１０を形成できる。
また、箱体１０の各面（六面）を構成する中空樹脂板１００の一部又は全部を、それぞれ独立した中空樹脂板１００により形成しておき、それらを融着・接着剤等によって接合することで箱体１０を形成することもできる。
【００１９】
箱体１０は、上記のような中空樹脂板１００を用いて形成することにより、軽量で、かつ、高い剛性を備える箱体として構成することができる。
ここで、箱体１０の形状は、使用時の接合強度を考慮すると、複数の平面を備える多面体とし、平面同士を接合させることが好ましい。
例えば、本実施形態の箱体１０は、図３に示すように、正面および背面の形状が台形で、かつ上面、下面および左右側面の形状が長方形の多面体であり、言い換えれば、水平面からなる上面および底面と、直立面からなる正面および背面と、傾斜面からなる左右側面を備える形状としている。
【００２０】
面状ファスナ２０は、オス側面状ファスナ２１とメス側面状ファスナ２２とを分離した状態で備えている。
オス側面状ファスナ２１は、平面上に多数のフックを備えて形成されており、フックと係合可能な多数のループを備えるメス側面状ファスナ２２とは互いに接合することが可能である。
一方、オス側面状ファスナ２１同士やメス側面状ファスナ２２同士では接合しないように構成されている。
【００２１】
そして、ボックス１の各面は、それぞれオス側面状ファスナ２１とメス側面状ファスナ２２によって被覆されている。
特に、本実施形態では、ボックス１同士を所定の向きで重ね合わせたとき、互いのオス側面状ファスナ２１とメス側面状ファスナ２２が対向することで、互いに接合可能となり、ボックス１同士を前記所定の向きとは逆の向きで重ね合わせたとき、互いのオス側面状ファスナ２１同士およびメス側面状ファスナ２２同士が対向することで、互いに接合不能となるように、ボックス１の各面においてオス側面状ファスナ２１とメス側面状ファスナ２２が配置されている。
【００２２】
例えば、本実施形態では、図３に示すように、ボックス１の上面、下面および左右側面が、前後に二分され、それぞれオス側面状ファスナ２１とメス側面状ファスナ２２によって半分ずつ被覆されており、ボックス１の正面および背面は、左右に二分され、それぞれオス側面状ファスナ２１とメス側面状ファスナ２２によって半分ずつ被覆されている。
そして、このように構成されるボックス１は、重ね合わせるときの向きを選択することにより、ボックス１同士を、接合する状態で重ね合わせたり、接合しない状態で重ね合わせることが可能となる。
【００２３】
ここで、ボックス１の各面を被覆する面状ファスナ２０（２１，２２）には、例えば、図２に示すように、箱体１０を構成する中空樹脂板１００の展開状態に対応した連続・連設された形状に裁断・形成された面状ファスナ２０によって、組み立てられた中空樹脂板１００を覆うようにして、接着剤等により中空樹脂板１００に表面に接合・接着させることができる。
また、箱体１０を構成する中空樹脂板１００の各面（六面）にそれぞれ対応した形状に裁断・形成された面状ファスナ２０を、それぞれ対応する中空樹脂板１００の各面に接着剤等により接合・接着させるようにしてもよい。
【００２４】
また、以上のようなオス側面状ファスナ２１とメス側面状ファスナ２２は、異なる色彩に色分けすることができる。
オス側面状ファスナ２１とメス側面状ファスナ２２とを異なる色に色分けすることにより、意匠的（美観的）に優れたものとできるとともに、ボックス１同士が接合する向きと、接合しない向きとを外観から容易に判断できるようにすることができる。
なお、上記のような色分けは、面状ファスナ２１、２２自体に施してもよいが、面状ファスナ２１、２２自体は透明とし、下地の色で色分けするようにしてもよい。
【００２５】
以上のように箱体１０の全面に所定パターンで面状ファスナ２０を配設した本実施形態に係るボックス１について、複数のボックス１を接合等させる場合の具体例について、図面を参照しつつ説明する。
図５は本発明の実施形態に係る接合ボックスシステムのボックス同士を接合する状態で重ね合わせる場合を示す斜視図である。
この図に示すように、ボックス１同士を所定の向き、すなわち前後が逆となる向きで重ね合わせると、互いのオス側面状ファスナ２１とメス側面状ファスナ２２が対向するので、オス側面状ファスナ２１とメス側面状ファスナ２２の接合作用により、ボックス１同士が接合した状態で重なり合うことになる。
【００２６】
図６は本発明の実施形態に係る接合ボックスシステムのボックス同士を接合しない状態で重ね合わせる場合を示す斜視図である。
この図に示すように、ボックス１同士を前記所定の向きとは逆の向き、すなわち前後が同じとなる向きで重ね合わせると、互いのオス側面状ファスナ２１同士およびメス側面状ファスナ２２同士が対向するので、オス側面状ファスナ２１同士およびメス側面状ファスナ２２同士の非接合作用により、ボックス１同士が接合しない状態で重なり合うことになる。
【００２７】
次に、本発明の実施形態に係る接合ボックスシステムの具体的な使用例について、図７および図８を参照して説明する。
図７は本発明の実施形態に係る接合ボックスシステムで環状の囲いを形成した場合を示す斜視図である。
この図に示すように、本実施形態の接合ボックスシステムで環状の囲い（仕切り）を形成する場合は、所定数のボックス１をその上面が囲いの中心を向くように直立させるとともに、ボックス１の傾斜した側面同士を順次接合させる。このようにすると、ボックス１同士が相対的に傾斜した状態で接合されるので、所定数のボックス１が環状に繋がり、簡易的な囲いとして使用することが可能となる。
【００２８】
図８は本発明の実施形態に係る接合ボックスシステムで足置きを形成した場合を示す斜視図である。
この図に示すように、本実施形態の接合ボックスシステムで平板状の足置きを形成する場合は、所定数のボックス１を上下の向きが交互に反転するように水平面上に並べるとともに、ボックス１の傾斜した側面同士を順次接合させる。このようにすると、側面の傾斜が相殺されてボックス１同士が直線的に接合されるので、所定数のボックス１が平板状に連結され、足置きとして使用することが可能となる。
【００２９】
以上説明したように、本発明の一実施形態に係る接合ボックスシステムは、互いに接合可能に形成される複数のボックス１を備え、これらのボックス１を接合して任意または所定の形態で使用される接合ボックスシステムにおいて、ボックス１が、中空樹脂板１００で形成される箱体１０と、箱体１０の全面を被覆する面状ファスナ２０とを備えるとともに、面状ファスナ２０が、オス側面状ファスナ２１とメス側面状ファスナ２２とを分離した状態で備えられるようになっている。
【００３０】
オス側面状ファスナ２１とメス側面状ファスナ２２は互いに接合し、オス側面状ファスナ２１同士またはメス側面状ファスナ２２同士では接合しないものであり、ボックス１の各面が、それぞれオス側面状ファスナ２１とメス側面状ファスナ２２によって被覆されることにより、ボックス１同士を所定の向きで重ね合わせたとき、互いのオス側面状ファスナ２１とメス側面状ファスナ２２が対向することで、互いに接合可能となり、ボックス１同士を前記所定の向きとは逆の向きで重ね合わせたとき、互いのオス側面状ファスナ２１同士およびメス側面状ファスナ２２同士が対向することで、互いに接合不能となるように、ボックス１の各面においてオス側面状ファスナ２１とメス側面状ファスナ２２を配置させることができる。
【００３１】
このような構成により、ボックス１の使用時においては、中空樹脂板１００で形成されるボックス１同士を、面状ファスナ２０を介して接合させることにより、軽量でありながら高い剛性や接合強度を確保し、足置き、踏み台、簡単な仕切り（パーテーション）などとして多用途に使用することができる。
また、収納時においては、互いに接合しない状態で複数のボックス１を積み重ねることができるので、収納したボックス１の取り出しを容易にすることができる。
【００３２】
また、本実施形態では、オス側面状ファスナ２１とメス側面状ファスナ２２が色分けされることにより、意匠的（美観的）に優れたものとすることができるとともに、ボックス１同士が接合する向きと、接合しない向きの判断も容易とすることができる。
さらに、本実施形態のボックス１は、少なくとも一つの傾斜面を備えるので、傾斜面の接合により、ボックス１同士を相対的に傾斜した状態で接合させることができ、その結果、ボックス１同士を直線的に接合させる場合に比べ、使用形態のバリエーションを増やすことができる。
【００３３】
以上、本発明の接合ボックスシステムについて、実施形態を示して説明したが、本発明に係る接合ボックスシステムは、上述した実施形態にのみ限定されるものではなく、特許請求の範囲内で種々の変更が可能であることは言うまでもない。
例えば、上述した実施形態では、ボックスの各面を前後または左右に二分してオス側面状ファスナとメス側面状ファスナを半分ずつ配置したが、図９に示すように、ボックスの各面を多数に分割し、オス側面状ファスナとメス側面状ファスナを交互に配置するようにしてもよい。
また、ボックスの形状は前記実施形態のものに限定されないことは勿論である。例えば、図１０に示すように、直方体のボックスや立方体のボックスとしてもよい。
【産業上の利用可能性】
【００３４】
本発明は、互いに接合可能に形成される複数のボックスを備え、これらのボックスを接合して任意または所定の形態で使用される接合ボックスシステムに適用することができ、特に、収納したボックスの取り出し容易性が求められる場合に有効である。
【符号の説明】
【００３５】
１  ボックス
１０  箱体
２０  面状ファスナ
２１  オス側面状ファスナ
２２  メス側面状ファスナ
１００  中空樹脂板
１１０  気泡ボード
１２０  プラスチック段ボール
【図１】
2014031860.tif 000003
【図２】
2014031860.tif 000004
【図３】
2014031860.tif 000005
【図４】
2014031860.tif 000006
【図５】
2014031860.tif 000007
【図６】
2014031860.tif 000008
【図７】
2014031860.tif 000009
【図８】
2014031860.tif 000010
【図９】
2014031860.tif 000011
【図１０】
2014031860.tif 000012